(57)【要約】【課題】  家具の引き出しを円滑に使用するための装置を取り付ける為に収納容積を減少させたり、装置が露出して家具のデザインを損なう、さらには、引き出しが円滑に移動しやすい為に外部へ飛び出し易いなどの問題がある。【解決手段】  家具の側板に取り付ける引き出し用の受け桟の表面に、複数の球体を回転自由に略下半分を埋め、略上半分を露出させて引き出しを円滑に出し入れが出来るようにすると共に、引き出し側板底面に部球体受け部と傾斜部を設けて引き出しが飛び出さない様にした家具の側板引き出し用受け桟と引き出しの側板。【選択図】図１
2009072583.tif 000002
【特許請求の範囲】
【請求項１】
家具の側板引き出し用受け桟の一表面に設けられた複数の略半球型の凹部内に、球体が略上半球部を露出した状態で回転可能に入れられ、前記球体の直径よりもわずかに小さな直径の穴を有する押さえ薄板を被せて前記受け桟の表面に固定することにより、前記球体が前記凹部内から離脱せずに回転可能に封入されたことを特徴とする家具の側板引き出し用受け桟。
【請求項２】
前記押さえ薄板が、長手方向に複数の穴を所定の間隔に有する細長い板状又は単穴を有する短い板状であることを特徴とする請求項１記載の家具の側板引き出し用受け桟。
【請求項３】
球体が略上半球部を露出した状態で、前記球体の直径よりもわずかに小さな直径の開口を有する有底管内に回転可能に封入された単一型回転体が、側板受け桟の一表面に前記球体の略上半球を露出した状態で複数個埋め込まれたことを特徴とする家具の側板引き出し用受け桟。
【請求項４】
複数の球体が略上半球部を露出した状態で、前記球体の直径よりもわずかに大きな開口を有する有底ケースに収められ、前記球体の直径よりもわずかに小さな直径の穴を所定の間隔に有する押さえ薄板を前記球体に被せて前記ケースの表面に固定することで前記球体が回転可能に封入された連続型回転体とし、前記連続型回転体が側板受け桟の一表面に前記球体が略上半球部を露出した状態で埋め込まれたことを特徴とする家具の側板引き出し用受け桟。
【請求項５】
請求項１〜４のいづれか１項に記載の家具の側板受け桟の前記複数の球体に接して移動可能な家具の引き出しの側板底面補強板に、該側板の長さ方向に直線状に浅い条溝をガイドとして設けたことを特徴とする家具の引き出しの側板。
【請求項６】
請求項１〜４のいづれか１項に記載の家具の側板受け桟の前記複数の球体に接して移動可能な家具の引き出しの側板底面補強板に、前記家具の引き出しを完全に挿入した状態において、前記の各球体と対応する位置と大きさの、球体受け部を設けたことを特徴とする家具の引き出しの側板。
【請求項７】
前記球体受け部に、前記引き出しの挿入方向にその深さを減じる形状の傾斜部を設けたことを特徴とする請求項６記載の家具の引き出しの側板。
【請求項８】
前記家具の引き出しの側板底面補強板の棚口近い部位には、前記傾斜部を有しない球体受け部を設けるとともに、その他の球体受け部には傾斜部を有する球体受け部を設けたことを特徴とする請求項６又は７記載の家具の引き出しの側板。
【発明の詳細な説明】
【技術分野】
【０００１】
本発明は、家具の側板に取り付ける引出し用受け桟と引き出しの側板に関するものである。
【背景技術】
【０００２】
従来、家具類の引き出しの出し入れを円滑に使用するために家具の側板と引出しの側板に相対して設けられたスライド式が多く用いられている。
従来技術の一例として図９、（Ａ）（Ｂ）は、スチール家具の場合は家具の側板１００に取り付けられる受け用と引出しの側板６００に取り付けられる差込用とで主に構成される。
受け用のスライドレール２００とそのスライドレール２００の受け口の前下に位置する車輪４００と、引き出しの側板６００底部に取り付けられた挿入用スライドレール３００を示している。
この受け用スライドレール２００と、挿入用スライドレール３００を取り付けるには、側板１００と引出しの側板６００の間の空間と、差込用スライドレール３００は引出しの側板６００のに取付けられ、向う（背）板５００に大きく突き出てその間に空間を必要として、主目的の収容体積を無駄にしている。
又、木工家具の場合も又同様のものが多いが、スライドレールが３重になるような込み入ったものもある。（特許文献１参照）
球体や車輪を用いて引き出しの出入りをスムースにすると普段の使用が非常に楽で重宝であるが地震時には引き出しが飛び出しやすく危険である。
【特許文献１】特開２００７−１０５４６２
【発明の開示】
【発明が解決しようとする課題】
【０００３】
解決しようとしている問題点は、上記のように家具の引き出し構造において引き出しを円滑に出し入れする為に要する装置を取り付けることにより引き出しの収納容積を著しく減少させたり、又、取り付けられた装置が露出して目障りとなり、家具のデザインをすこぶる損なう点を解決することにある。
加えて、円滑に出し入れが容易な引き出しは反面、地震時には飛び出しやすく危険が増す点を解決することにある。
【課題を解決するための手段】
【０００４】
上記の課題を解決するため、第１発明として請求項１では、家具の側板に取り付けられる引き出し用受け桟の一表面に設けられた複数の略半球型の凹部内に複数の球体が略上半球部を露出し、回転可能な状態で、前記球体の直径よりもわずかに小さな直径の穴を有する押さえ薄板を被せて前記受け桟に固定することで前記球体が前記凹部内から離脱せず、回転可能に封入された家具の側板引出し用受け桟を提供する。
【０００５】
なお、前記押さえ薄板は長手方向に所定の間隔を持って複数の穴を有する細長い板状、または一つの穴のみを有する短い板状であっても良い。
【０００６】
次に、第２発明として請求項３では、球体が略上半球部を露出しした状態で、前記球体の直径よりもわずかに小さな直径の開口を有する有底管内に回転可能に封じこめた単一型回転体が、側板受け桟の一表面に前記球体の略上半球を露出した状態で複数個埋め込まれた家具の側板引き出し用受け桟を提供する。
【０００７】
更に、第３発明として請求項４では、複数の球体が略上半球部を露出した状態で、前記球体の直径よりもわずかに大きな開口を有する一つの有底ケースに収められ、前記球体の直径よりもわずかに小さな直径の穴を所定の間隔に有する押さえ薄板を前記球体に被せて前記ケースの表面に前記複数の球体が回転可能に封入された連続型回転体とし、家具の側板受け桟の一表面に前記連続型回転体が略上半球を露出した状態で埋め込まれた引き家具の側板引き出し用受け桟を提供する。
【０００８】
第４発明として、請求項５では、家具の側板受け桟に埋め込まれた各球体の上を出入りする引き出しの側板の底面に、受け桟より露出している半球先端に合わせて一直線の深さの浅い凹溝を設けガイドとした家具の引き出し側板を提供する。
【０００９】
第５発明として、請求項６では、家具の側板受け桟の前記複数の球体に接して移動可能な家具の引き出しを完全に挿入した状態において、前記各球体と対応する位置と大きさの球体受け部を設けた家具の引き出しの側板を提供する。
【００１０】
第６発明として、請求項７では、家具の側板受け桟の前記複数の球体に接して移動可能な家具の引き出しを完全に挿入した状態において前記各球体に対応する位置と大きさで家具の引き出しの側板底面補強板に設けられた球体受け部に、前記引き出しの挿入方向に向けその深さを減じる傾斜部を設けた家具の引き出しの側板。
【００１１】
第７発明として、請求項８では、家具の側板受け桟の前記複数の球体に接して移動可能な家具の引き出しを完全に挿入した状態において、前記家具の引き出しの側板底面補強板の棚口に近い部位には、前記傾斜部を有しない球体受け部を設けるとともに、その他の球体受け部には傾斜部を有する球体受け部を設けた家具の引き出しの側板を提供する。
【発明の効果】
【００１２】
本発明の請求項１〜４に共通する効果は、従来のスライドレール式と比べて、本発明の引き出し用受け桟は、受け桟自体に引出しを円滑に引き出したり、押し込んだりする為の回転部分を設けた装置としたことにより、従来のスライドレールを取り付けるために要する空間を必要とせず、又、収納容積を損なうことなく空間を利用できる。
又、本発明の引き出し用受け桟に設けた装置は引き出しを引き抜き取りはずした状態にならなければ外部から見ることが出来ないので、従来の木製家具と同様に、家具のデザインを壊さず目障りとならない家具の側板引き出し用受け桟である。
【００１３】
なお、前記した本発明において引き出しの側板の底面補強板に直線状の浅い凹溝を設けたことでぶれないで引き出しの出入りが出来る。
【００１４】
又、家具の側板受け桟の前記複数の球体に接して移動可能な家具の引き出しの側板底面補強板に、前記家具の引き出しを完全に挿入した状態において、前記各球体と対応する位置と大きさの球体受け部を設けた家具の引き出しの側板を用いると、引き出しの端部を家具の側板受け桟に挿入し始めた状態では、引き出し側板底面補強板は球体上に接しながら回転して容易に差し込むことが出来る。
引き出しの出し入れがスムースであると共に引き出しを挿入し終わる時点で複数の球体が球体受け部に同時に嵌り込み完全な挿入が完了出来る。
【００１５】
なお、球体受け部に引出しの挿入方向に向けて深さを減じる傾斜部を設けたことにより、引出しの最終挿入直前に引き出しはその重量も加わって、複数の球体が引出しの側板底面に設けた傾斜部に同時に差し掛かり導かれて球体受け部に全て嵌まり込むので、最後の一押しの押し込み力が半減されて沈みながら完全に閉じられ、且つ、地震時の振動によっても引き出しは傾斜部を登るため容易に飛び出しにくい状態に保持される。
【００１６】
なお、家具の側板受け桟の前記複数の球体に接して移動可能な家具の引き出しの側板底面補強板に、前記家具の引き出しを完全に挿入した状態において、前記の各球体と対応する位置と大きさの、球体受け部と該球体受け部に連設された傾斜部を有する球体受け部とを同一の引出しの側板底面に設けることにより、前記傾斜部が家具の側板受け桟上の複数の球体に同時に差し掛かり、引出しの自重により沈み込む作用と、傾斜部を有しない球体受け部の深さが地震時の振動による引出しの引き出される初動に抵抗して飛び出しを防止する力となり、使用の便利さと地震時の安全とを兼ね備えた引出しの側板となる。
【００１７】
一例として、前記傾斜部を有する球体受け部の内、引き出し側板底面の棚口に近い部位には傾斜部を有しない球体受け部を設けると、該球体受け部は引き出し挿入終了時に他の複数の球体受け部の傾斜部に導かれて前記傾斜部を有しない球体受け部も道ずれにし、その重量も加わって引出しは引きこまれるように沈み、閉じられる。
引き出すときは、引出しの先端部を心持ち引き上げることで前記最も棚口に近い手前の球体受け部は球体より分離されて容易に引き出せる。
そして、最も手前の傾斜を有しない球体受け部は地震時の揺れで前方に傾く家具により引き出しの重みが前方に偏り球体受け部の深みにより飛び出す力が消却される。
【発明を実施するための最良の形態】
【００１８】
次に、本発明を実施するための最良の形態を実施例に従って説明する。
【実施例１】
【００１９】
図１（Ａ）と図１（Ｂ）は本発明の第１発明に関する実施例を示している。
家具の側板１に取り付けられる引き出し用受け桟４の一表面に複数の略半球型の凹部６が設けられている。
その凹部６内に略上半球を露出した複数の球体７が、回転可能な状態で入れられており、前記球体７の直径よりもわずかに小さな直径の穴１７を有する押さえ薄板８を被せて前記受け桟４の表面に固定されて、前記球体７が前記凹部６内から離脱せず、回転可能に封入された家具の側板引き出し用受け桟４である。
【００２０】
前記の球体７は引き出しの重みを一手に引き受けるので強度が求められ、鉄球もしくは鋼球が好ましいが強度の高い合成樹脂球やガラス球などであっても良い。
家具の側板１に取り付けられ引き出しを下から支える側板１の受け桟４は棚口の受け桟３より向う（背）板２か、向う（背）受け桟５に至る迄の長さの材料で柱状の長方形の板が用いられ通常木工家具の場合は、幅、厚み、共に２０ミリ前後であり、その中に組み込まれて使用する本発明の回転体は幅、厚み、共に受け桟４の強度を考慮し受け桟４の半分前後に収めるために球体７の直径は８ミリ以下５ミリ以上に抑えるのが良い
この球体７が略上半球を露出して回転するように入れる凹部６の大きさとしては、球体７が内部で自由に回転できる大きさで、球体７の直径よりも０.２〜０.３ミリ程度大きければ良い。
【００２１】
又、前記球体７が凹部６内から離脱しないで回転可能にする為に用いる前記押さえ薄板８に開けられる穴１７は球体７が外に出ない直径で球体７の直径より０.１〜０.２ミリ程小さければよい。
なお、球体７に被せる押さえ薄板８の厚みは厚い程球体７の露出が少なく低くなり引き出しの側板１１の底面と受け桟４の間隔がなくなり（図６参照）円滑な出し入れを不可能にする恐れが生じる為に０.５ミリ以下で強度があれば薄いほど好ましい。
【００２２】
又、上記受け桟４の表面に所定の間隔で数箇所に、球体７に合わせて略半球型の凹部６を設け球体７を入れ回転させるが、その凹部６の所定の間隔は等間隔でも良く、様々考えられるが、引き出しを出し入れする際、引き出しの初動の位置から最大に引き出される前の位置においても少なくとも２個以上の球体７で引き出しを支持可能な間隔が必要となる。
図７（Ａ）と図７（Ｂ）又、図７（Ｃ）の断面図で示しているのは、受け桟４の最も奥に収納した引き出しを棚口受け桟３側に引出している状態であり球体７の配置は一例である。
棚口受け桟３側に最も近い球体７―１は受け桟４の棚口の端より少し奥に入った位置に球体７ー４は中央部より少し奥の位置、球体７―３は球体７ー１と球体７―４の略中間のやや奥に位置に球体７―２は球体７―１と球体７―３の略中間よりやや奥に位置するように側板受け桟４の表面に凹部６を設けると最も少ない球体７数で効果を得ることが出来る。
なお、棚口受け桟３に一番近い凹部６内の球体７−１は引出しを差し込むときや抜き取られる直前は球体７−１単一でその重みを受け止めなければならないのは当然である。
【００２３】
前記押さえ薄板８は、図２（Ａ）のように、一つの穴１７のみ有する短い押さえ薄板８で各球体７ごとに被せても良いし、図２（Ｂ）のように所定の間隔で複数の穴１７を有する薄い長い板状８のもので連続して被せても良い。
【実施例２】
【００２４】
次に、図３（Ａ）と図３（Ｂ）は、本発明の第２発明を示している。
球体７が略上半球を露出した状態で、前記球体７の直径よりもほんにわずかに小さい直径の開口を持つ有底管１０の中に回転可能に封じ込めた単一型回転体１８が、側板１の引き出し用受け桟４表面に前記球体７の略上半球が露出した状態で複数埋め込まれた側板の家具の側板引き出し用受け桟４を示している。
【００２５】
前記有底管１０の管の内径は球体７が回転できるゆとりのある大きさであれば良いが、球７の略下半球を埋めた有底管１０の開口部１６は球体７が離脱しない様にする為その周囲をほんの少し圧縮して内径を小さくするだけで良い。
例えばボールペンの軸先とその軸先に入れられている回転するボールの関係と同様である。
前記有底管１０の開口部１６の大きさとしては球体７が離脱しない内径で、球体７の直径より０.１ミリ〜０.２ミリ程度小さければよい。
なお、球体７や受け桟４の材質、寸法、及び受け桟４に単一回転体１８を埋め込む間隔などは実施例１（第１発明）に記載したと同様の構成を採用出来る。
上記有底管１０が筒状の場合、有底管１０の深さは、球体７を入れた後、球体７が離脱せぬ為に開口部１６を０．１ミリ〜０．２ミリ縮小するので球体７の半球よりほんの少し深くすると良い。
【００２６】
有底管１０は開口部１６から球体７を入れた後、開口部１６を縮小し回転可能に球体７を封入する。
有底管１０の材質は開口部１６を縮小する作業を容易にするため金属が適す。
又、球体７の直径より少し大きな直径を持つ丸棒状の円柱に球体７が自由に回転できるよう球体７の半球の形態にあわせて凹部６を作り球体７の略上半球を露出させ筒型有底管と同様に円柱型有底管の開口部１６を圧縮して球体７を封入する。
【実施例３】
【００２７】
図４（Ａ）、（Ｂ）では、本発明の第３発明を示している。
略上半球を露出した状態で複数の球体７が、球体７の直径よりもほんの少し大きな開口を持つ一つの有底ケース１５に収めて、所定の間隔に前記球体７の直径よりわずかに小さい直径の穴１７を開けた押さえ薄板８を前記球体７に被せ、前記ケース１５の表面に取り付け固定することで前記球体７が回転可能に封入された数個の球体７を有する連続型回転体１９とし、家具の側板１の引き出し用受け桟４の表面に球体７の略上半球を露出した状態で前記連続型回転体１９が埋め込まれた引き出し用受け桟４を示している。
前記連続型回転体１９となる有底ケース１５は固い木材、金属または硬質樹脂で造られる。
【００２８】
図４（Ａ）、（Ｂ）と  図５（Ａ）、（Ｂ）、（Ｃ）が示すように、回転体を一つの有底ケース１５にまとめることで引き出し用受け桟４に組み入れる工程数が省ける利点が生じる。
前記有底ケース１５に実施例２（第２発明）で記載した有底管１０の単一型回転体１８を複数個動かぬように埋め込んで異なる構成の連続型回転体１９とすることも出来る。
上記の球体７、押さえ薄板８、押さえ薄板の穴１７、引き出し用受け桟、有底管等に付いては実施例１（第１発明）や実施例２（第２発明）に記載したと同一の材質や寸法、間隔の構成を採用できる。
又、前記有底ケース１５は図８（Ａ）、（Ｂ）の様に薄い鉄板を断面形状がロの字型に一体的に成型し、所定の位置に穴１７を開け、球体７を嵌めこんでさらに異なる構成の連続型回転体１９とすることも出来る。
【実施例４】
【００２９】
なお、第４発明として図６で示す様に第１発明〜第３発明の受け桟を使用するに当って、引き出し総ての重みがかかる引き出し側板１１の底部分が柔らかな素材で球体７に当たる部分が凹む心配が生じるような場合は、引出し側板１１の底面に固い薄い補強板１３を取り付けても良いし、請求項５に対応する引き出しの側板の球体７が直接当たる部分の補強板１３に浅い条溝１４を付けて球体７がぶれずに回転するためのガイドとするのも良い。
浅い条溝１４の深さは０、５ミリ程まであれば良い。
引き出し側板１１の底の補強板１３は引き出し側板１１の底面に家具の側板の受け桟４の球体７に対応して取り付けねばならない。
なお、補強板１３は金属または硬質樹脂を用いることができる。
【実施例５】
【００３０】
図１０（Ａ），（Ｂ）は、本願発明の請求項６に対応した引出しの側板の実施例を第５発明として示している。
家具の側板受け桟４に回転可能に設けた球体７に接して移動可能な家具の引き出しの側板底面補強板１３に、前記家具の引き出しを挿入して完全に閉じた状態において、前記各球体７と対応する位置と大きさの球体受け部２０を設けた実施例を示している。
半球状の球体受け部２０は、球体７が受け桟４の表面に露出している部分が嵌り込む直径と深さがあれば良い。
【実施例６】
【００３１】
図１１（Ａ），（Ｂ）と図１２（Ａ），（Ｂ）は、家具の側板受け桟４に回転可能に設けた球体７に接して移動可能な家具の引き出しの側板底面補強板１３に、前記家具の引き出しを挿入して完全に閉じた状態において、前記球体７と対応する位置と大きさの前記球体受け部２０より前記引出しの挿入方向に向けてその深さを減じる傾斜部２１を有する第６発明としての実施例である。
【００３２】
図１１（Ａ）、（Ｂ）は、  家具の側板受け桟４に回転可能に設けた球体７に接して移動可能な家具の引き出しの側板底面補強板１３に、前記家具の引き出しを挿入して完全に閉じた状態において、前記球体７と対応する位置と大きさであって、しかも前記引き出しの挿入方向に先細りすると共にその深さを減じる溝式形状の傾斜部２１（落下する水滴を縦断面で切断した様な形状）を設けた一例としての家具の引き出しの側板の部分斜視図とＡ―Ａ断面図である。
図１２（Ａ），（Ｂ）は、家具の側板受け桟４に回転可能に設けた球体７に接して移動可能な家具の引き出しの側板底面補強板１３に、前記家具の引き出しを挿入して完全に閉じた状態において、前記球体７と対応する位置と大きさであって、しかも引出しの挿入方向にその深さを減じる坂式の形状の傾斜部２１を設けた一例としての家具の引き出しの側板の部分斜視図とＡ―Ａ断面図である。
【００３３】
上記の他、球体受け部２０の形状と傾斜部２１の形状及びその組み合わせは数多く考えられるが、主な組み合わせの一例をしめすと、上記図１１（Ａ），（Ｂ）と、図１２（Ａ），（Ｂ）の他、図１３（Ａ）、（Ｂ）の球体受け部２０の形状が円柱型で引き出しの側板底面の補強板が上下方向に貫通され、左右に壁を残す坂式傾斜部を有するものや、図１４（Ａ），（Ｂ）の、箱型の球体受け部２０に左右に壁のない坂式の傾斜部をもつもの、図１５（Ａ），（Ｂ）のように球体受け部２０と左右に壁のない坂式傾斜部２１が一体となった形状のものもある。
【００３４】
なお、前記傾斜部２１の長さは、図１６（Ａ），（Ｂ）、（Ｃ）に示されるように家具の側板受け桟４に回動可能に設けた複数の球体７−１〜７−４の内、球体７間の間隔が最も近い球体７間の距離よりも短くすることが望ましい。
傾斜部２１の長さを最も近い球体７間の距離よりも長くすると、傾斜部２１に続く球体受け部２０の深さが浅くなり、球体７を充分に保持できなくなる為である。
【００３５】
この実施例６における、複数の球体７と引出しの側板底面の補強板１３に設けられた球体受け部２０の位置は、図１６（Ｃ）が示すごとく、家具の引き出しを挿入して引き出しを完全に閉じた状態の時、全部対応する位置としなければならない。
そのために、実際には各球体は本発明の実施例３で開示した有底ケース１５と球体受け部２０を設けた引き出しの側板底面補強板１３を１対の製品とすると、家具の側板受け桟と引き出しの側板底面に取り付けることが出来るので位置合わせなどの作業も不要となり、便利である。
【００３６】
この実施例では、直径が５ミリの球体７を嵌めこむ為、直径が５，２ミリで深さが２，３ミリの球体受け部２０を設けた。
この実施例では、４個の球体７−１，７−２，７−３，７−４の全部に対応する引き出しの側板底面補強板１３の位置に球体受け部２０を設けた。
【００３７】
これにより、引き出しの端部を側板受け桟４に挿入し始めた状態（図１６（Ａ）参照）では、引き出しの側板側面補強板１３は、球体７−１上に接しながら回転して容易に押し込むことが出来る。
そして、引き出しを更に押し込んで行く（図１６（Ｂ））と、球体７−１，７−２，７−３，７−４の全部に対応する引き出し側板底面補強板１３の位置に球体受け部２０を設けた(図１６（Ｃ)）。
【００３８】
これにより引き出しの端部を側板受け桟４に挿入し始めた状態（図１６（Ａ）参照）では、引き出しの側板底面に設けた補強板１３は、球体７−１上に接しながら回転して容易に押し込むことが出来る、そして、引き出しを更に押し込んで行く（図１６（Ｂ））と、球体７−１，７−２，７−３，７−４上に接して球体７を回転させながら引き出しの側板底面に設けた補強板１３は移動して行く。
引き出しの側板が移動中に複数の球体７の内、手前側に設けた球体７−１は引き出しの側板底面補強板１３に設けられた傾斜部２１に誘導され球体受け部２０に嵌り込むが、引き出しの先端部を持ち上げることで、球体７は球体受け部２０より分離されて容易に引き出しを押し込むことが出来る。
そして、引き出しを完全に押し込んで閉じた状態（図１６（Ｃ））において、引き出しはその重量も加わって、複数の球体７−１，７−２，７−３，７−４が引き出しの側板底面補強板１３に設けた傾斜部２１に導かれて球体受け部２０に全て嵌り込むので、地震等の振動によって引き出しは容易に飛び出ない状態に保持される。
【００３９】
家具の側板受け桟４に回転可能に設けた球体７に接して移動可能な家具の引き出しの側板底面補強板１３に、前記家具の引き出しを挿入して完全に閉じた状態において、前記球体７と対応する位置と大きさの、球体受け部が前記傾斜部２１を持たない球体受け部２０と前記引出しの挿入方向に向けてその深さを減じる傾斜部２１を持った球体受け部２０の両方を同一家具の引き出しの同一側板補強板１３に設けても良い。
【実施例７】
【００４０】
図１７が示す実施例７は、上記の一例として、前記傾斜部２１を有する球体受け部２０の内、引き出し側板底面の最も棚口３に近い手前の球体受け部２０のみは傾斜部２１を有しない球体受け部２０を一つだけ設けたことにより、他の傾斜部２１を持つ複数の球体受け部２０は、家具の側板受け桟４上の球体７に対し沈みつつ同時に嵌り込むが前記棚口３に最も近い球体受け部２１は、直接嵌り沈み込む。
【００４１】
その深さは、ほんの１ミリ〜２，５ミリぐらいであり、引出しの取っ手を持つ手が手の平を上向きにして引き出す取っ手にすれば自然に引出しの先端部は前記の１ミリ〜２，５ミリぐらいは、引き上げながら引き出すことになり前記最も棚口３に最も近い手前の球体受け部２０は球体７より分離されて容易に引き出せて、押し込む場合も、完全に挿入される手前で最も棚口３に近い手前の球体受け部２０以外の各傾斜部２１が同時に家具の側板引き出し用受け桟４上の球体７に傾斜部２１が差し掛かり、引き出しはその重量も加わって、引き込まれるように閉じられる。
複数の球体７が引き出しの側面底板に設けられた傾斜部２１に導かれて球体受け部２０に総て嵌り込み、最も手前の傾斜を持たない球体受け部２０は地震等の揺れで家具が前方に傾くと引き出しの重みが前方に偏りよりその球体２０の深さにより飛び出しは益々防禦される。
【図面の簡単な説明】
【００４２】
【図１】（Ａ）は、第１発明の実施例１となる略半球を埋めた側板受け桟の斜視図。          （Ｂ）は、Ａ−Ａ'の部分拡大断面図。
【図２】（Ａ）は、球体の略半球を凹部に入れ単一型回転体として複数が組み込まれた実施例１に係る引き出し用受け桟の斜視図。          （Ｂ）は、複数の球体が半球を凹部に入れて連続回転体として組み込まれた引き出し用受け桟の斜視図。
【図３】（Ａ）は、第２発明の個々に有底管が埋め込まれた実施例２となる引き出し用受け桟。          （Ｂ）は、Ａ−Ａ'の部分拡大断面図。
【図４】（Ａ）は、第３発明の実施例３となる有底ケースの連続型回転体を使用した受け桟の斜視図。。          （Ｂ）は、Ａ−Ａ'の部分拡大断面図。
【図５】（Ａ）は、実施例３に用いる有底ケースの連続型回転体の断面図。          （Ｂ）は、連続型回転体の正面図。          （Ｃ）は、Ａ−Ａ'の部分拡大断面図。
【図６】は、第４発明の他の実施例となる受け桟上の球体と引き出しの側板底部と補強板の関係断面図。
【図７】（Ａ）は、第３発明と第４発明の他の実施例において引き出しが受け桟の最も奥に押し込まれた状態を示す断面図。          （Ｂ）は、引き出しが受け桟の中央まで引き出された状態を示す断面図。          （Ｃ）は、引き出しが棚口受け桟側にまで引出された状態を示す断面図。
【図８】（Ａ）は、第３発明の異なる実施例となる一枚板で製作した連続型回転体と受け桟の斜視図。          （Ｂ）は、Ａ−Ａ'の拡大断面図。
【図９】（Ａ）は、従来技術のスチール家具のスライドレールの説明斜視図。          （Ｂ）は、部分拡大斜視図。
【図１０】（Ａ）は、第５発明の実施例５において受け桟上の球体と引き出し側板の底面補強板の球体受け部の関連透視斜視図。            （Ｂ）は、Ａ−Ａ‘の部分断面図。
【図１１】（Ａ）は、実施例６において、受け桟上の球体と引き出し側板の底面補強板の球体受け部及び傾斜部の関連透視斜視図。            （Ｂ）は、Ａ−Ａ‘の部分断面図。
【図１２】（Ａ）は、実施例６において、他の一例となる受け桟上の球体と引き出し側板の底面補強板の球体受け部及び傾斜部の関連透視斜視図。            （Ｂ）は、Ａ−Ａ‘の部分断面図。
【図１３】実施例６における、球体受け部と傾斜部のその他の形状の一例の受け桟上面の球体との関連透視斜視図。            （Ｂ）は、Ａ−Ａ‘の部分断面図。
【図１４】実施例６における、球体受け部と傾斜部のその他の形状の一例の受け桟上面の球体との関連透視斜視図。            （Ｂ）は、Ａ−Ａ‘の部分断面図。
【図１５】実施例６における、球体受け部と傾斜部のその他の形状の一例の受け桟上面の球体との関連透視斜視図。            （Ｂ）は、Ａ−Ａ‘の部分断面図。
【図１６】（Ａ）は、実施例６における、第６発明の他の実施例において、引き出しが受け桟の棚口から差し込まれた状態を示す断面図。          （Ｂ）は、引き出しが受け桟の中央部まで押し込まれた状態を示す断面    図。          （Ｃ）は、引き出しが受け桟の最も奥に押し込まれた状態を示す断面図。
【図１７】は、実施例７における第７発明の他の実施例において、引き出しが受け桟の最も奥に押し込まれた状態を示す断面図。
【符号の説明】
【００４３】
１        家具の側板
２        家具の向う（背）板
３        棚口受け桟
４        側板引き出し用受け桟
５        向う（背）板受け桟
６        側板受け桟上面の凹部
７        球体
８        押さえ薄板
９        ケースの底板
１０      球体を入れた有底管
１１      引き出しの側板
１２      引き出しの底板
１３      引き出し側板底面補強板
１４      補強板のガイド条溝
１５      有底ケース
１６      有底管の開口部
１７      穴
１８      単一型回転体
１９      連続型回転体
２０      引き出し側板底部の球体受け部
２１      傾斜部
１００    従来のスチール家具の側板
２００    従来のスチール家具のスライドレールの受け部分
３００    従来のスチール家具のスライドレールの差し込み部分
４００    従来のスチール家具の引き出しの送りの車輪
５００    従来のスチール家具の引き出しの向こう（背）板
６００    従来のスチール家具の引き出しの側板
【図１】
2009072583.tif 000003
【図２】
2009072583.tif 000004
【図３】
2009072583.tif 000005
【図４】
2009072583.tif 000006
【図５】
2009072583.tif 000007
【図６】
2009072583.tif 000008
【図７】
2009072583.tif 000009
【図８】
2009072583.tif 000010
【図９】
2009072583.tif 000011
【図１０】
2009072583.tif 000012
【図１１】
2009072583.tif 000013
【図１２】
2009072583.tif 000014
【図１３】
2009072583.tif 000015
【図１４】
2009072583.tif 000016
【図１５】
2009072583.tif 000017
【図１６】
2009072583.tif 000018
【図１７】
2009072583.tif 000019